(57)【特許請求の範囲】
【請求項１】
フットペダル装置のビーターで叩かれる打面を備えた打面装置を複数の脚で支えるための脚構造であって、
該複数の脚が床面と接地する接地点で囲まれる範囲内において、該フットペダル装置を、その底面部分がペダルの揺動支点側で床面に接して他の部分が床面に接しない状態で、該脚または該打面装置に取り付けるための取付け部を設けた打面装置の脚構造。
【請求項２】
フットペダル装置のビーターで叩かれる打面を備えた打面装置を複数の脚で支えるための脚構造であって、
該複数の脚が床面と接地する接地点で囲まれる範囲内において、該フットペダル装置が、その底面部分がペダルの揺動支点側で床面に接して他の部分が床面に接しない状態で該脚または該打面装置に取り付けられた打面装置の脚構造。
【請求項３】
該フットペダル装置のビーターの揺動支点が、該複数の脚が床面と接地する接地点で囲まれる範囲内に位置するようにした請求項１または２記載の打面装置の脚構造。
【発明の詳細な説明】
【０００１】
【発明の属する技術分野】
本発明は、ドラム等の打楽器や電子打楽器などに利用できる打面装置（パッド）の脚構造に関するものである。
【０００２】
【従来の技術】
従来、例えば電子ドラムのパッドを支える脚構造としては図８、図９に示すものが一般に知られている。ここで、図８はこの脚構造の側面図、図９は平面図である。図示するように、１は打面を構成するためのシェルであり、このシェル１は両端が開口する中空の円筒体からなり、その一方の開口部には打面たるヘッドがリムを用いて取り付けてある。このヘッドをフットペダル装置６のビーター６１で叩くために、このシェル１の打面を垂直に立てておく必要があり、そのために脚構造８が用いられる。この脚構造８は、シェル１の正面側（ヘットペダル装置の配置側と反対側）に水平な支持棹８３を取り付け、その左右両端に床面１０に接する前脚８１を取り付け、さらにシェル１の底側に床面に接するまで垂直に延びる脚８７を設けて、その脚８７の先端側を折り曲げてフットベダル装置の取付け部８７ａを設けたものである。
【０００３】
フットペダル装置６は上記のパッドとは別体のもの（別々に市販されている）であり、ペダル支持部材６５の一端にペダル６を揺動支点６７を中心に揺動自在に取り付け、その他端側に支持棹６４を垂直に立ててその先端に揺動部６６を設け、この揺動部６６に先端にビーター６１が固定されたシャフト６２を揺動自在に取り付け、ペダル６０の先端に取り付けた金属チェーン６３を揺動部６６に接続して、ペダル６０を踏み込むことでビーター６１をヘッド１方向に揺動できるようにしたものである。このフットペダル装６の支持部材６５の先端側には取付け部６９が設けられており、この取付け部６９によって、フットペダル装置６を脚構造の脚８７の取付け部８７ａに着脱自在に取り付けることができる。そして、フットペダル装置６を取り付けたときには、フットペダル装置６の少なくともペダル揺動支点６７側と取付け部６９側の底面が床面１０に接地することで、フットペダル装置６を安定配置できるようにしている。
【０００４】
【発明が解決しようとする課題】
従来の電子ドラムの脚構造を用いてフットペダル装置６を操作する場合、図８に示すように、ペダル６０を踏み込むと、その踏み込んだ力Ｆ０は最終的にはフットペダル装置６の揺動支点６７側での床面方向への力Ｆ２と取付け部６９側での床面方向への力Ｆ３とに分力され、前脚８１には床面方向に向く力はほとんど働かない。また、この力Ｆ０は正面方向には、脚８７の力Ｆ４と脚８１の力Ｆ６とに変換される。
【０００５】
この結果、ペダル６０を踏み込んだとき、前脚８１には床面方向への力がほとんど働かないので、ビーター１の叩き方が強いような場合には、その反動で前脚８１が床面から浮き上がってしまい、シェル１部分がペダル６０の踏込みごとに揺れてしまう。電子ドラムでは打撃センサがこのシェル１部分の揺れも検出して打撃検出信号を出してしまうので、打撃検出信号にノイズが多く含まれるようになり、電子ドラムの誤動作の原因となる。また、シェル１部分がガタガタと揺れる結果、フットペダル装置６の踏込みの操作感も悪くなる。
【０００６】
さらに、フットペダル装置６を踏み込んだ力Ｆ０のうち、特にペダル支持部材６５の先端側で床面方向に働く力Ｆ３は大きく、このため、踏込み操作のごとにフットペダル装置６の先端側の一点で床面を強く叩くことになり、例えばこの床面が２階の床面であるような場合には、階下に大きな騒音を生じさせることになる。
【０００７】
本発明の上述の問題点に鑑みてなされたものであり、フットペダル装置の踏込み操作に対しても、打面装置を安定的に支持できるようにし、また床面で生じる騒音を低減できるようにすることを目的とする。
【０００８】
【課題を解決するための手段および作用】
上述の課題を解決するために、本発明に係る打面装置の脚構造は、一つの形態として、フットペダル装置のビーターで叩かれる打面を備えた打面装置を複数の脚で支えるための脚構造であって、該複数の脚が床面と接地する接地点で囲まれる範囲内において、該フットペダル装置を、その底面部分がペダルの揺動支点側で床面に接して他の部分が床面から浮くような状態で、該脚または該打面装置に取り付けるための取付け部を設けたものである。
【０００９】
また本発明に係る打面装置の脚構造は、他の形態として、フットペダル装置のビーターで叩かれる打面を備えた打面装置を複数の脚で支えるための脚構造であって、該複数の脚が床面と接地する接地点で囲まれる範囲内において、該フットペダル装置が、その底面部分がペダルの揺動支点側で床面に接して他の部分が床面から浮くように該脚または該打面装置に取り付けられたものである。
これにより、フットペダル装置を踏み込んだときに床面方向に働く力は、脚構造の全部の脚に床面方向に働く力として分力されることになり、ペダル踏込みの反動で一部の脚が浮き上がることを防止できる。
【００１０】
また本発明に係る打面装置の脚構造は、上述の脚構造において、該フットペダル装置のビーターの揺動支点が、該複数の脚が床面と接地する接地点で囲まれる範囲内に位置するようにしたものである。
これにより、ビーターの打撃時にビーターの揺動支点に床面方向の力が働いたとしても、その力は脚構造の全部の脚に床面方向に働く力として分力されることになり、よって打撃の反動で一部の脚が浮き上がることを防止できる。
【００１１】
【発明の実施の形態】
以下、図面を参照して本発明の実施形態を説明する。
図１、図２は本発明の打面装置の脚構造の一実施形態を示す図であり、図１はこの脚構造を含む電子ドラムの打面装置部分の側面図、図２は平面図である。ここで、シェル１部分のヘッドやリムの構造およびフットペダル装置６の構造は前述したものと同じである。一方、この実施形態では後脚としてシェル１から述びる脚８７は用いられない。
【００１２】
すなわち、この実施形態では、シェル１の正面側においてシェル１の真中付近にその左右端部に延びる水平な支持棹８３を取り付け、この支持棹８３の左右両端のそれぞれに前脚８１と後脚８２を、支持棹８３の位置を中心として逆Ｖ字形となるようにして取り付ける。よって、シェル１は、逆Ｖ字形に開いた左右の前脚８１と後脚８２の計４本の脚による計４点で床面に接した状態で、床面１０に立てられてることになる。
【００１３】
そして、後脚８２の床面に近い位置には、後脚８２の側壁から前脚８１側に向かって斜め下向きに突出した部分を持ちかつその先端側では左右の後脚８２同士を連結するようその間を水平方向に延びる連結棹８６が、床面から一定の隙間αだけ浮いた状態で設けられる。この連結棹８６の中央部分は、フットペダル装置６の取付け部６９を取り付けることができるように加工されている。結果として、この連結棹８６の中央部分の取付け部は、左右の前脚８１と後脚８２の４点の接地点で囲まれるエリア内に位置することになる。
【００１４】
この連結棹８６の中央部分にフットペダル装置６が取り付けた状態では、フットペダル装置６の先端側（ビーター６１のある側）の底面は床面１０から浮き上がることになり、結局、フットペダル装置６はその基端側（ペダル揺動支点６７がある側）の底面でだけ床面１０に接して配置されることになる。またこのとき、フットペダル装置６のビーター６１を揺動させる揺動部６６の揺動支点６６ａもまた、左右の前脚８１と後脚８２の４点の接地点で囲まれるエリア内に位置する。
【００１５】
本実施形態は、このように脚構造を構成しているので、フットペダル装置６を踏込み操作する力Ｆ０は、フットペダル装置６の先端部で床面方向に働く力Ｆ７となり、この力Ｆ７の働く場所は、左右の前脚８１と後脚８２の４点の接地点で囲まれるエリア内に位置するので、さらに脚構造８による連結部を通じて後脚８２の接地点で床面方向に働く力Ｆ３と前脚８１の接地点で床面方向に働く力Ｆ５とに分力されることになる。この結果、フットペダル装置６のペダル６０を踏み込んだときには、後脚８２だけでなく、前脚８１にも床面方向に力Ｆ５が働くことになり、よってベダル６０を踏み込んだ反動で前脚８１が浮かび上がってしまうことを防止でき、ペダル踏込み操作に対してシェル１部分を安定的に支持できる。
【００１６】
また、フットペダル装置６のビーター６１の揺動支点６６ａも、左右の前脚８１と後脚８２の４点の接地点で囲まれるエリア内に位置しているので、打撃によりこの揺動支点６６ａの位置に床面方向に力が働いたとしても、この力の一部は上述同様、前脚８１側にも床面方向の力として分力されることになり、これにより前脚８１を安定させることができる。
【００１７】
また、ペダル踏込み時にフットペダル装置６の先端側の取付け部６９に働く床面方向の力Ｆ７は、左右の前脚８１と後脚８２の計４本に分散されることになるので、それぞれの力Ｆ３とＦ５は力Ｆ７に比べて十分に小さくなり、よって、これらの力で床面１０を叩いたとしても、騒音の発生は十分に抑えられる。
【００１８】
本発明に実施にあたっては種々の変形形態が可能である。例えば上述の実施形態では、脚構造として４本脚のものを用いたが、本発明はこれに限られるものではない。例えば、上述の実施例では前脚８１を２本にしたが、これに限らず例えば図３に示すように、前脚８１を１本で構成するものであってもよい。
【００１９】
また、上述の実施例では、後脚８２側にフットペダル装置６との取付け部を設けるようにしたが、これに限らず例えば図４に示すように、脚構造としては左右２本ずつの前脚８１と後脚８２とし、フットペダル装置６の取付けのために、シェル１に床面方向に延びる１本の脚８７を設け、但しこの脚８７の長さを短くしてフットペダル装置６を取り付けたときにその先端部分の底面が床面１０から浮くようにしてもよい。この場合にも、フットペダル装置６の取付け部６９が、左右の前脚８１と後脚８２の４点の接地点で囲まれるエリア内に位置することは明らかである。また、このフットペダル装置６の取付け部を前脚側に設けるようにしたものであっても勿論よい。
【００２０】
【実施例】
以下、本発明の打面装置の脚構造を一層具体的に示した実施例について説明する。図６は本発明の一実施例としての打面装置の正面図、図７はこの打面装置の正面図において打面装置の要所部分の断面構造を示すための断面線を記入した図、図５は図３のＡ−Ａ断面線に沿う打面装置の側断面図である。
【００２１】
図１〜図３において、まず、この実施例装置の概要的な構成を説明すると、両端が開口する円筒状の胴体としてのシェル１の背面（奏者側の面）側の開口部には、打面としてのヘッド３がリム９を用いて取り付けてあり、打面装置のヘッド３側にはヘッド３をビーター６１で打撃するためのフットペダル装置６が取り付けられる。このフットペダル装置６は二つのビーターをそれぞれ独立に動かすことができるツインペダル形のものである。
【００２２】
シェル１は４本の脚からなる脚構造体８により床面から持ち上げられた位置に支持される。シェル１の内側には、断面コの字形をした板状のフレーム２が垂直方向にシェル内壁にその頂部から底部にかけ渡して固定される。このフレーム２に打撃センサ４と緩衝材５が取り付けられ、これら打撃センサ４と緩衝材５の先端側はヘッド３に接触している。
【００２３】
打撃センサ４は、その先端側がヘッド３に適度に接触するように調整してフレーム２に固定されている。この打撃センサ４は圧電素子を振動の検出素子としており、この圧電素子が取付け板を用いてフレームに固定される。この圧電素子にはゴムやスポンジなどの弾性体により形成された円錐台形状のクッション部材が接着されていて、このクッション部材の先端側がヘッド３に接触するようになっている。これにより、打撃センサ４は、ヘッド３が打撃された時に、打撃によるヘッド振動膜の振動をクッション部材を介して圧電素子で検出でき、その検出信号でドラム音源を鳴らすことができる。
【００２４】
緩衝材５は、フレーム２の中央付近（したがってヘッド３の中心付近）において、このフレーム２の断面コの字形の溝の底部に強力な接着材にて固定されている。緩衝材５は二つのビーター６１に対応してそれらの打撃点が含まれる広さの長方形の面を持ち、その基端部側がフレーム２に接着され、先端部側がヘッド３に接触される。この緩衝材５は、３層の積層構造となっており、基端部側が高弾性材料からなる高弾性層５３、先端側が耐磨耗性材料からなる耐磨耗層５１、その中間が低弾性材料からなる低弾性層５２からなる。この低弾性層５２は、打撃時の衝撃を吸収できるように低弾性材料からなるもので、ビーター６１による打撃の跳ね返りと振動膜の過度な振動を抑え、打撃の感触を良くするものであり、ポリウレタン・スポンジなどからなる。高弾性層５３は低弾性層５２が長期にわたる打撃によって圧縮変形しても緩衝材５の先端部がヘッド３に接触した状態を保つために介装された層である。耐磨耗層５１は、低弾性層５２の磨耗を防ぐための層であり、例えば不織布などが利用される。
【００２５】
ヘッド３は、網状素材からなるもので、この網状素材としては例えば縦横の繊維が直交する平織りにより織られた２枚の網を、互いの織り目方向が４５°に斜交するように積層したものが用いられる。ヘッド３は、この網状素材の弾性のために、アコースティック・ドラムのヘッドを打撃した際の打撃感に近い感触を得ることができる。また、網状素材からなるので、空気が容易に通り抜けるものであり、よってヘッド３を打撃した際にもその振動で大きな音が生じることを抑えることができる。
【００２６】
リム９は金属材料を円環形状に一体成形することにより形成される。ヘッド３とリム９は、初めにシェル１にヘッド３を被せ、次いでそのヘッド３の上にリム９を嵌め込み、取付け調整部７の調整ネジで固定することで、シェル１に取り付けられる。
【００２７】
脚構造体８は打面装置の正面側に左右２本の前脚８１、背面側に左右２本の後脚８２からなる４本脚で打面装置の打面を垂直に立てた状態に支えている。左右の前脚８１と後脚８２は支持棹８３の部分で逆Ｖ字形に連結されており、このと４本の脚で打面装置を立てた状態に支持する。支持棹８３はシェル１の左右の内壁の位置に設けられた取付け部１１に、取付け部材８４を用いてネジ止めされ、これにより脚構造体８とシェル１とが固定される。左右の後脚８２は床面近くで、床面から一定の隙間分だけ浮いた状態の連結棹８６により連結される。この連結棹８６は後脚８２の側壁から前脚８１側に向かってある長さ下向き加減に延びたのちに、左右の後脚８２間を水平方向に延びてそれらを連結するようになっている。この連結棹８６の中央付近には、フットペダル装置６の取付け部６９でフットペダル装置６を取り付けることができるように、管を平面形につぶした形状の取付け部８６ａが形成されている。
【００２８】
フットペダル装置６は、二つのビーター６１を独立に操作できるツインペダル形のものである。ビーター６１はシャフト６２の先端に取り付けられ、このシャフト６２はビーターの揺動支点となる揺動部６６に揺動可能に取り付けられる。揺動部６６は垂直の支持棹６４の先端に取り付けられる。支持棹６４は左右のビーター用に２本あり、この２本の支持棹６４は下端側において水平方向に延びる連結部で互いに連結され、この連結部に取付け部材６９が取り付けられる。この支持棹６４はこの取付け部材６９を用いて、前述の連結棹８６の取付け部に着脱可能に取り付けられる。この場合、支持棹６４の下端部分（底面部分）したがってフットペダル装置６の先端側の底面は床面から浮いた状態となる。
【００２９】
支持棹６４にはベダル支持部材６５が支点６８で回動可能に取り付けられており、このペダル支持部材６５の前端（奏者側の端部）には、奏者の踏込み操作によりペダル６０がその基端側において支点６７を中心にして揺動可能なように取り付けられる。このペダル支持部材６５は、その基端部分の底面が床面に接地しているが、それ以外の部分の底面は床から浮いた状態となっている。
【００３０】
ペダル６０の先端には金属チェーン６３が取り付けられており、この金属チェーン６３は揺動部６６に連結され、ペダル踏込み時にこの揺動部６６によりシャフト６２をヘッド３方向に揺動できるようになっている。これにより、ペダル６０を踏み込んでいない状態（図中に破線で示す）では、ビーター６１が打撃装置のヘッド３から離れた状態となり、踏み込んだ状態では（図中に実線で示す）では、ビーター６１が揺動してヘッド３を打撃するようになる。
【００３１】
ここで、フットプダル装置のペダル６０の先端およびビーター６１の揺動支点６６ａは、後脚８２の床接地点よりも、前脚８１側に位置するようになっており、よってこの揺動支点６６ａは４本の脚８１、８２の接地点で囲まれるエリア内に位置することになる。
【００３２】
【発明の効果】
以上に説明したように、本発明の脚構造によれば、フットペダル装置を踏み込むときの床面方向の力は、その一部が分力されて前脚の接地点を床面方向に押す力ともなるから、フットペダル装置６の踏込み操作に対しても前脚が浮き上がらず安定となる。よって、フットペダル装置６の踏込み時の操作感が向上し、この脚構造を電子ドラム等に適用する場合には、ペダル踏込みによる打面装置の揺れに起因する打撃センサのノイズを防止できる。また、ベダル踏込み時の床面方向の力は、脚構造の複数本の脚全部に分散されることになるから、床面の階下への騒音の発生を低減することができる。
【図面の簡単な説明】
【図１】本発明の一実施形態としての打面装置の脚構造の側面図である。
【図２】図１の実施形態の脚構造の平面図である。
【図３】本発明の他の実施形態を示す図である。
【図４】本発明のまた他の実施形態を示す図である。
【図５】図７のＡ−Ａ断面線に沿う打面装置の側断面図である。
【図６】本発明の一実施例としての打面装置の正面図である。
【図７】実施例の打面装置の正面図において打面装置の要所部分の断面構造を示すための断面線を記入した図である。
【図８】従来例の脚構造を説明する側面図である。
【図９】従来例の脚構造を説明するための平面図である。
【符号の説明】
１  シェル
２  フレーム
３  ヘッド
４  打撃センサ
５  緩衝材
６  フットペダル装置
７  取付け調整部
８  脚構造体
９  リム
６０  ペダル
６１  ビーター
６５  ペダル支持部材
６９  フットペダル装置の取付け部
６６  ビーターの揺動部
８１、８２  脚
【図１】
0003936460.tif 000002
【図２】
0003936460.tif 000003
【図３】
0003936460.tif 000004
【図４】
0003936460.tif 000005
【図５】
0003936460.tif 000006
【図６】
0003936460.tif 000007
【図７】
0003936460.tif 000008
【図８】
0003936460.tif 000009
【図９】
0003936460.tif 000010